(57)【特許請求の範囲】
【請求項１】
横架材に断熱材を固定する金物であって、前記横架材に被さる下向き溝形の薄板からなる金具本体を設け、この金具本体の両側の立下り片を各々下部で互いに二叉状に分離した一対の半幅立下り片とし、この二叉状を成す片方の半幅立下り片を長く、もう片方の半幅立下り片を短くし、両側の立下り片における長い方の半幅立下り片同志および短い方の半幅立下り片同志は互いに等しい長さとし、各半幅立下り片の下端から外側へ屈曲した断熱材受け片を設け、各断熱材受け片に上向きの切起し爪を設けた断熱材固定金物。
【請求項２】
前記金具本体の上面板部に下向きの切起し爪を設けた請求項１記載の断熱材固定金物。
【請求項３】
前記各半幅立下り片に折り取りを容易とする折り取り線部を幅方向に沿って設けた請求項１記載の断熱材固定金物。
【発明の詳細な説明】
【０００１】
【発明の属する技術分野】
この発明は、住宅やその他の建物の床パネル等に使用する断熱材固定金物に関する。
【０００２】
【従来の技術】
寒冷地や一般地域の住宅に設置される床パネルにおいて、面材の裏面の根太間に断熱材を配置し、床の断熱効果を得るようにする場合が多い。従来、この断熱材を面材の裏面に取付けるのに、断熱材の厚み相当高さの断面ハット形の固定金物を前記根太に被せ、その固定金物の下端から外側へ屈曲する受け片で断熱材を受け止めるようにしたものが提案されている。
【０００３】
【発明が解決しようとする課題】
しかし、前記構成では、断熱材の厚みに応じて専用の固定金具を用意する必要があるため、固定金具の種類が多くなり管理が煩雑になるばかりか、断熱材の厚みに応じた各種類の固定金具毎にプレス金型が必要でコストが増大するという問題点がある。断熱材は、寒冷地仕様や、一般地域仕様等に応じて、少なくとも２種類準備されることが多い。
【０００４】
この発明の目的は、２種類の厚みの断熱材に兼用でき、管理が容易でコストを低減できる断熱材固定金物を提供することである。
【０００５】
【課題を解決するための手段】
この発明の請求項１記載の断熱材固定金物は、横架材に断熱材を固定する金物であって、以下の構成としたものである。
前記横架材に被さる下向き溝形の薄板からなる金具本体を設け、この金具本体の両側の立下り片を各々下部で互いに二叉状に分離した一対の半幅立下り片とする。この二叉状を成す片方の半幅立下り片は長く、もう片方の半幅立下り片は短くし、両側の立下り片における長い方の半幅立下り片同志および短い方の半幅立下り片同志は互いに等しい長さとする。各半幅立下り片には、下端から外側へ屈曲した断熱材受け片を設け、各断熱材受け片に上向きの切起し爪を設ける。
前記金具本体の上面板部には、下向きの切起し爪を設けてもよい。
前記各半幅立下り片には、折り取りを容易とする折り取り線部を幅方向に沿って設けてもよい。
【０００７】
請求項１の構成の断熱材固定金物によると、長い方および短い方の半幅立下り片のうち、片方の半幅立下り片の下半部を分断してその下端の断熱受け片を取り除くことにより、断熱材の厚みに合う高さのものとすることができ、１つの断熱材固定金物を２種類の厚みの断熱材の固定に兼用できる。この片方の半幅立下り片の下半部を取り除いたものが、請求項４記載の断熱材固定金物となる。
金具本体の上面板部に下向きの切起し爪を設けた場合は、この切起し爪を横架材に食い込ませて断熱材固定金物を横架材に固定でき、釘等の固着具を用いることなく、簡単に横架材への固定が行える。
各半幅立下り片に折り取りを容易とする折り取り線部を幅方向に沿って設けた場合には、工具を要することなく、片方の半幅立下り片の下半部を折り曲げるだけで簡単に取り除くことができる。
また、このように片方の半幅立下り片の下半部を除いたものによると、金具本体の上部が幅広であるため、横架材に安定して固定できる。
【０００８】
【発明の実施の形態】
この発明の一実施例を図１ないし図４に基づいて説明する。この実施例に係る断熱材固定金物は、図３（Ａ）に示すような住宅用の床パネル１の面材２の裏面に発泡スチロール等からなる断熱材４を設けるのに使用されるものである。床パネル１は、横架材として平行に並べて配置される木製の複数の根太３にわたって上面に合板またはパーティクルボード等からなる面材２を設け、面材２の裏面の根太３間に断熱材４を配置して構成される。
【０００９】
この断熱材固定金物５は、図１に示すように前記根太３（図３）の上面側に被さる下向き溝形の薄板からなる金具本体６を有し、金具本体６の両側部分は立下り片７，７となっている。これら両立下り片７は、各々下部で互いに二叉状に分離した一対の半幅立下り片７Ａ，７Ｂとしてある。片方の半幅立下り片７Ａは長く、もう片方の半幅立下り片７Ｂは短くし、対向し合う長い半幅立下り片７Ａ，７Ａ同志および短い半幅立下り片７Ｂ，７Ｂ同志は互いに等しい長さとしてある。すなわち、長い半幅立下り片７Ａは厚み寸法の大きい断熱材４（例えば厚み４５mm）に合わせた長さとし、短い半幅立下り片７Ｂは厚み寸法の小さい断熱材４（例えば厚み３０mm）に合わせた長さとしてある。各半幅立下り片７Ａ，７Ｂは、その下端から外側へ屈曲した断熱材受け片８を有し、各断熱材受け片８には三角形状の上向きの切起し爪９がそれぞれ形成されている。
また、前記各半幅立下り片７Ａ，７Ｂには、鎖線で示すようにこれら半幅立下り片７Ａ，７Ｂの下半部の折り取りを容易にする折り取り線部１０が幅方向に沿って設けられている。この折り取り線部１０は、例えばプレス処理等で溝状に刻印し、あるいはミシン目を施すことによって設けることができる。
また、金具本体６の上面板部６ａには、両立下り片７，７側に分配した一対の下向きの切起し片１１，１１が形成され、上面板部６ａの中央には釘孔１２が形成されている。さらに、上面板部６ａには、両立下り片７，７を二分する方向に沿って折曲げ分断可能にする分断線部１３が刻印等によって設けられている。
【００１０】
上記構成の断熱材固定金物５の使用方法を説明する。図３（Ａ）の床パネル１に厚み４５mmの断熱材４を設ける場合、断熱材固定金物５の短い半幅立下り片７Ｂの下半部を、その折り取り線部１０の部分で折ることにより分断して取り除き、図２に示す形状の断熱材固定金物５Ａとして使用する。すなわち、床パネル１の組立に際し、面材２を張付ける前の根太３の上面に図３（Ｂ）のように断熱固定金物５Ａの金具本体６を被せる。このとき、金具本体６の上面板部に形成した切起し爪１１を根太３の上面に食い込ませることによって、金具本体４を根太３へ簡単に固定することができる。必要であれば、金具本体６の上面板部６ａに形成した釘孔１２で釘打ち固定してもよい。金具本体６の上面板部６ａは、半幅立下り片７Ａの２倍の幅となって幅広であるため、根太３に対して安定して固定できる。
なお、床パネル１の端部の根太３に対しては、前記断熱材固定金物５Ａをその金具本体６の上面板部６ａに形成した分断線部１３を利用して折ることにより、図３（Ｃ）のように２つに分断した固定金物５Ａ１，５Ａ２として使用する。これにより、床パネル１の端部の外側に、固定金物５Ａの断熱材受け片８が突出するのを避けることができる。
このように断熱材固定金物５Ａ，５Ａ１，５Ａ２を固定した複数の根太３を平行に並べて配置し、それら根太３の上面に面材２を張り渡し、釘打ち等によって接合する。さらに前記面材２の裏面の根太３間に断熱材４を配置し、その断熱材４の根太３側の端部を断熱材固定金物５Ａ，５Ａ１，５Ａ２の断熱材受け片８で受け止める。このとき、断熱材受け片８に形成された切起し爪９が断熱材４に食い込むので、断熱材４を位置ずれなどを起こさないように受け止めることができる。
【００１１】
図３（Ａ）の床パネル１に厚み３０mmの断熱材４を設ける場合は、断熱材固定金物５の長い半幅立下り片７Ａの下半部を、その折り取り線部１０の部分で折ることにより分断して取り除き、図４に示す形状の断熱材固定金物５Ｂとして使用する。使用方法は、図２の断熱材固定金物５Ａの場合と同様である。
【００１２】
【発明の効果】
この発明の請求項１記載の断熱材固定金物は、横架材に被さる下向き溝形の薄板からなる金具本体を設け、この金具本体の両側の立下り片を各々下部で互いに二叉状に分離した一対の半幅立下り片とし、この二叉状を成す片方の半幅立下り片を長く、もう片方の半幅立下り片を短くし、両側の立下り片における長い方の半幅立下り片同志および短い方の半幅立下り片同志は互いに等しい長さとし、各半幅立下り片の下端から外側へ屈曲した断熱材受け片を設け、各断熱材受け片に上向きの切起し爪を設けたため、長い方および短い方の半幅立下り片のうち、片方の半幅立下り片の下半部を分断してその下端の断熱受け片を取り除くことにより、断熱材の厚みに合う高さのものとすることができる。そのため、１つの断熱材固定金物を２種類の厚みの断熱材の固定に兼用できる。
請求項２記載の断熱材固定金物は、前記金具本体の上面板部に下向きの切起し爪を設けたため、この切起し爪を横架材に食い込ませることで、釘等の固着具を使用することなく、横架材に固定することができる。
請求項３記載の断熱材固定金物は、各半幅立下り片に折り取り線部を幅方向に沿って設けたため、切断工具を要することなく、片方の半幅立下り片の下半部を折り曲げるだけで簡単に取り除くことができる。
【図面の簡単な説明】
【図１】（Ａ）〜（Ｄ）は各々この発明の一実施例にかかる断熱材固定金物の斜視図、平面図、正面図、および側面図である。
【図２】（Ａ）〜（Ｄ）は各々同固定金物の半幅立下り片を一部折り取った状態の厚手断熱材用の固定金物の斜視図、平面図、正面図、および側面図である。
【図３】（Ａ）は同固定金物を用いて断熱材を取付けた床パネルの縦断面図、（Ｂ）は同床パネルの要部拡大断面図、（Ｃ）は同固定金物を分断した斜視図である。
【図４】（Ａ）〜（Ｄ）は各々図１の固定金物の半幅立り片を一部折り取った状態の薄手断熱材用の固定金物の斜視図、平面図、正面図、および側面図である。
【符号の説明】
３…根太（横架材）、４…断熱材、５，５Ａ，５Ｂ，５Ａ１，５Ａ２…断熱材固定金物、６…金具本体、７…立下り片、７Ａ，７Ｂ…半幅立下り片、８…断熱材受け片、９，１１…切起し爪、１０…折り取り線部
【図１】
0003653125.tif 000002
【図２】
0003653125.tif 000003
【図３】
0003653125.tif 000004
【図４】
0003653125.tif 000005